(57)【要約】【課題】トラック後部に設けるカメラとモニタとの間の配線および、トラック後部に設けるカメラとトラック本体のバッテリとの間の配線を不要にする。【解決手段】荷台１３の後部に取り付けられ、荷台の後方を映すカメラ２０に内蔵または近くに設けられ、カメラによる映像信号を無線で送信する送信手段２１と、運転室１１内に設けられたモニタ３０と、カメラ２０に内蔵または近くに設けられる、カメラおよび送信手段用のバッテリ２２と、バッテリ２２の近くに設けられる、専用の発電機であって、トラックの走行による風力または振動による発電機２３とを備えている。テレビカメラ、送信手段、バッテリ、および発電機は１つのユニットとして構成することができる。【選択図】        図１
2004243959.tif 000002
【特許請求の範囲】
【請求項１】
運転室の後方に箱形の荷台が設けられたトラックに設けられる後方監視装置であって、
前記荷台の後部に取り付けられ、荷台の後方を映すテレビカメラと、
このテレビカメラに内蔵されまたは当該テレビカメラの近くに設けられ、テレビカメラによる映像信号を無線で送信する送信手段と、
前記運転室内に設けられ、上記送信手段からの映像信号により前記荷台の後方の映像を映し出すモニタと、
前記荷台の後部において、前記テレビカメラに内蔵されまたは当該テレビカメラの近くに設けられる、当該テレビカメラおよび送信手段用のバッテリと、
前記荷台の後部において、上記バッテリの近くに設けられる、当該バッテリに充電するための専用の発電機であって、かつトラックの走行による風力または振動による発電機と、
を備えていることを特徴とするトラックの後方監視装置。
【請求項２】
運転室が設けられたトラクタと、このトラクタの後部に連結または分離されるトレーラとからなるトラクタ・トレーラ型のトラックに設けられる後方監視装置であって、
前記トレーラの後部に取り付けられ、トレーラの後方を映すテレビカメラと、
このテレビカメラに内蔵されまたは当該テレビカメラの近くに設けられ、テレビカメラによる映像信号を無線で送信する送信手段と、
前記トラクタの運転室内に設けられ、上記送信手段からの映像信号により前記トレーラの後方の映像を映し出すモニタと、
前記トレーラの後部において、前記テレビカメラに内蔵されまたは当該テレビカメラの近くに設けられる、当該テレビカメラおよび送信手段用のバッテリと、
前記トレーラの後部において、上記バッテリの近くに設けられる、当該バッテリに充電するための専用の発電機であって、かつトラックの走行による風力または振動による発電機と、
を備えていることを特徴とするトラックの後方監視装置。
【請求項３】
前記テレビカメラ、送信手段、バッテリ、および発電機が１つのユニットとして構成されていることを特徴とする請求項１または２記載のトラックの後方監視装置。
【発明の詳細な説明】
【０００１】
【発明の属する技術分野】
本発明は、トラックの後方監視装置に関する。より詳しくは、運転室の後方に箱形の荷台（コンテナ状の荷台）が設けられたトラック、あるいは、運転室が設けられたトラクタと、このトラクタの後部に連結または分離されるトレーラ（上記荷台に相当）とからなるトラクタ・トレーラ型のトラックに設けることによって、トラックの後方を監視（視認）することができるようにした後方監視装置に関するものである。
【０００２】
【従来の技術】
運転室の後方に箱形の荷台が設けられたトラック、あるいは、運転室が設けられたトラクタとこのトラクタの後部に連結または分離されるトレーラとからなるトラクタ・トレーラ型のトラックにあっては、運転室の後部窓が、荷台ないしトレーラで塞がれた状態となるため、運転者は後部窓を通してトラック後方を監視することができない。
そこでこの問題を解決するものとして、従来、トラックの後部にテレビカメラ（以下単にカメラともいう）を設けるとともに、運転室内にモニタを設け、トラックの後方をモニタに映し出してトラック後方を監視することができるようにした後方監視装置がすでに提案されている（例えば、特許文献１−４参照）。
【０００３】
【特許文献１】
特開平８−２０７６６１号公報（請求項１−２、図１−４）
【特許文献２】
特開平１０−１０９５９０号公報（請求項１、図１）
【特許文献３】
特開平１０−２０３２５９号公報（０００４−０００６段落、図３−５）
【特許文献４】
特開２００２−３６９５１号公報（０００１−０００２段落、図１，７）
【０００４】
【発明が解決しようとする課題】
上述した従来技術では、トラック後部に設けられたカメラと、トラック前部にある運転室内に設けられたモニタとを有線で接続していた。
このためカメラとモニタとを接続するための配線の引き回しが大変であった。
この問題を解決するためには、カメラからの映像信号を無線でモニタに送出することも考えられるが、それにしても、カメラおよびその信号送信手段への給電は必要であり、トラックにおける発電機およびバッテリは、少なくとも荷台ないしトレーラには設けられていない（通常、トラック本体の発電機は運転室下部回り等に配置されたエンジン等に、バッテリもその近くに配置されている）から、そのバッテリからカメラおよびその信号送信手段への配線の引き回しが必要であり、その作業は大変である。
特に、運転室が設けられたトラクタと、このトラクタの後部に連結または分離されるトレーラとからなるトラクタ・トレーラ型のトラックの場合、トレーラはトラクタの後部に対して連結または分離されるから、上記配線中に、接続／分離可能なコネクタを設ける必要があり、このコネクタ部における防水処理等も大変であるという問題があった。
【０００５】
この発明の目的は、以上のような問題を解決し、トラック後部に設けるカメラとモニタとの間の配線および、トラック後部に設けるカメラとトラック本体のバッテリとの間の配線を不要にすることができる、トラックの後方監視装置を提供することにある。
【０００６】
【課題を解決するための手段】
上記目的を達成するために請求項１記載のトラックの後方監視装置は、運転室の後方に箱形の荷台が設けられたトラックに設けられる後方監視装置であって、
前記荷台の後部に取り付けられ、荷台の後方を映すテレビカメラと、
このテレビカメラに内蔵されまたは当該テレビカメラの近くに設けられ、テレビカメラによる映像信号を無線で送信する送信手段と、
前記運転室内に設けられ、上記送信手段からの映像信号により前記荷台の後方の映像を映し出すモニタと、
前記荷台の後部において、前記テレビカメラに内蔵されまたは当該テレビカメラの近くに設けられる、当該テレビカメラおよび送信手段用のバッテリと、
前記荷台の後部において、上記バッテリの近くに設けられる、当該バッテリに充電するための専用の発電機であって、かつトラックの走行による風力または振動による発電機と、
を備えていることを特徴とする。
請求項２記載のトラックの後方監視装置は、運転室が設けられたトラクタと、このトラクタの後部に連結または分離されるトレーラとからなるトラクタ・トレーラ型のトラックに設けられる後方監視装置であって、
前記トレーラの後部に取り付けられ、トレーラの後方を映すテレビカメラと、
このテレビカメラに内蔵されまたは当該テレビカメラの近くに設けられ、テレビカメラによる映像信号を無線で送信する送信手段と、
前記トラクタの運転室内に設けられ、上記送信手段からの映像信号により前記トレーラの後方の映像を映し出すモニタと、
前記トレーラの後部において、前記テレビカメラに内蔵されまたは当該テレビカメラの近くに設けられる、当該テレビカメラおよび送信手段用のバッテリと、
前記トレーラの後部において、上記バッテリの近くに設けられる、当該バッテリに充電するための専用の発電機であって、かつトラックの走行による風力または振動による発電機と、
を備えていることを特徴とする。
請求項３記載のトラックの後方監視装置は、請求項１または２記載のトラックの後方監視装置において、前記テレビカメラ、送信手段、バッテリ、および発電機が１つのユニットとして構成されていることを特徴とする。
【０００７】
【作用効果】
請求項１記載のトラックの後方監視装置は、運転室の後方に箱形の荷台が設けられたトラックに設けられる後方監視装置であって、
前記荷台の後部に取り付けられ、荷台の後方を映すテレビカメラと、
このテレビカメラに内蔵されまたは当該テレビカメラの近くに設けられ、テレビカメラによる映像信号を無線で送信する送信手段と、
前記運転室内に設けられ、上記送信手段からの映像信号により前記荷台の後方の映像を映し出すモニタと、
前記荷台の後部において、前記テレビカメラに内蔵されまたは当該テレビカメラの近くに設けられる、当該テレビカメラおよび送信手段用のバッテリと、
前記荷台の後部において、上記バッテリの近くに設けられる、当該バッテリに充電するための専用の発電機であって、かつトラックの走行による風力または振動による発電機と、を備えているので、このトラックの後方監視装置によれば、次のような作用効果が得られる。
すなわち、テレビカメラによる映像信号は送信手段により無線でモニタに向け送信されるので、トラック後部に設けるカメラとモニタとの間の配線が不要になる。
また、テレビカメラおよび送信手段用のバッテリ（トラック本体のバッテリとは別のバッテリ）が、前記荷台の後部において、前記テレビカメラに内蔵されまたは当該テレビカメラの近くに設けられており、さらに、このバッテリに充電するための、トラック自体の走行による風力または振動による専用の発電機が、前記荷台の後部において、上記バッテリの近くに設けられているので、トラック後部に設けるカメラとトラック本体のバッテリとの間の配線も不要となる。
以上のように、このトラックの後方監視装置によれば、トラック後部に設けるカメラとモニタとの間の配線および、トラック後部に設けるカメラとトラック本体のバッテリとの間の配線を不要にすることができる。
すなわち、トラック後部に、カメラ、送信手段、バッテリ、および発電機を装着するだけでよくなるので、従来必要とされた配線の引き回しが全く不要になる。
請求項２記載のトラックの後方監視装置は、運転室が設けられたトラクタと、このトラクタの後部に連結または分離されるトレーラとからなるトラクタ・トレーラ型のトラックに設けられる後方監視装置であって、
前記トレーラの後部に取り付けられ、トレーラの後方を映すテレビカメラと、
このテレビカメラに内蔵されまたは当該テレビカメラの近くに設けられ、テレビカメラによる映像信号を無線で送信する送信手段と、
前記トラクタの運転室内に設けられ、上記送信手段からの映像信号により前記トレーラの後方の映像を映し出すモニタと、
前記トレーラの後部において、前記テレビカメラに内蔵されまたは当該テレビカメラの近くに設けられる、当該テレビカメラおよび送信手段用のバッテリと、
前記トレーラの後部において、上記バッテリの近くに設けられる、当該バッテリに充電するための専用の発電機であって、かつトラックの走行による風力または振動による発電機と、を備えているので、このトラックの後方監視装置によれば、次のような作用効果が得られる。
すなわち、テレビカメラによる映像信号は送信手段により無線でモニタに向け送信されるので、トレーラ後部に設けるカメラとトラクタに設けられたモニタとの間の配線が不要になる。
また、テレビカメラおよび送信手段用のバッテリ（トラック本体のバッテリとは別のバッテリ）が、前記トレーラの後部において、前記テレビカメラに内蔵されまたは当該テレビカメラの近くに設けられており、さらに、このバッテリに充電するための、トラック自体の走行による風力または振動による専用の発電機が、前記トレーラの後部において、上記バッテリの近くに設けられているので、トレーラ後部に設けるカメラとトラック本体（トレーラ）のバッテリとの間の配線も不要となる。
以上のように、このトラックの後方監視装置によれば、トレーラ後部に設けるカメラとモニタとの間の配線および、トレーラ後部に設けるカメラとトラック本体のバッテリとの間の配線を不要にすることができる。
すなわち、トレーラ後部に、カメラ、送信手段、バッテリ、および発電機を装着するだけでよくなるので、従来必要とされた配線の引き回しが全く不要になる。
しかも、従来技術では必要とされたトレーラとトラクタとの間における配線用のコネクタも不要となるので、そのコネクタ部における防水処理等も不要となる。
請求項３記載のトラックの後方監視装置によれば、請求項１または２記載のトラックの後方監視装置において、前記テレビカメラ、送信手段、バッテリ、および発電機が１つのユニットとして構成されているので、この装置を用いる場合には、上記ユニットをトラック後部に装着するとともに、運転室にモニタを取り付けるだけで利用することができるようになる。
【０００８】
【発明の実施の形態】
以下、本発明の実施の形態について図面を参照して説明する。
図１は本発明に係るトラックの後方監視装置の実施の形態を示す図で、（ａ）は平面図、（ｂ）は側面図である。また、図２は、図１とは多少異なる実施の形態を示す図で、（ａ）は側面図、（ｂ）は背面図である。
【０００９】
図１において、１０はトラックであり、運転室１１が設けられたトラクタ１２と、このトラクタ１２の後部に連結または分離されるトレーラ１３とからなるトラクタ・トレーラ型のトラックである。この実施の形態の後方監視装置はトラクタ・トレーラ型のトラックに限らず、運転室の後方に、箱形の荷台が基本的には分離不納に設けられたトラックにも利用することができる。
【００１０】
この後方監視装置は、トレーラ（または荷台（以下特に言及しない限り同じ））１３の後部に取り付けられ、トレーラ１３の後方を映すテレビカメラ２０と、このテレビカメラ２０に内蔵された、テレビカメラ２０による映像信号を無線で送信する送信手段（例えば送信機）２１と、運転室１１内に設けられ、上記送信手段２１からの映像信号によりトレーラの後方の映像を映し出すモニタ３０と、テレビカメラ２０に内蔵された、テレビカメラ２０および送信手段２１用のバッテリ２２と、トレーラ１３の後部において、カメラ２０（したがってバッテリ２２）の近くに設けられる、当該バッテリ２２に充電するための専用の発電機２３とを備えている。
【００１１】
発電機２３は、トラック１０が走行することによって生じる風力または振動を利用した発電機とする。図１に実線で示す発電機２３は、プロペラ２３ａを備えており、トラック１０が走行することでプロペラ２３ａが回転し、その回転によって発電がなされるようになっているが、発電機は、仮想線２３’で示すように、トラック１０が走行することによる振動で発電がなされる振動発電機を用いることもできる。また、発電機は、太陽電池を用いることもでき、さらに、これら風力、振動、太陽エネルギーを組み合わせた複合的な発電機とすることもできる。いずれにしても、トラック本体の発電機（図示せず）とは別に、上記バッテリ２２に充電するための専用の発電機２３を設ける。したがってまた、バッテリ２２も基本的にはカメラ２０および送信手段２１のための専用の小型バッテリとする。
なお、送信手段２１、あるいはバッテリ２２は、テレビカメラ２０に内蔵せずに、トレーラ１３の後部において、テレビカメラ２０の近くに設けることもできる。
【００１２】
また、これらテレビカメラ２０、送信手段２１、バッテリ２２、および発電機２３は、図２に示すように１つのユニットＵとして構成することもできる。
【００１３】
モニタ３０は、図１（ｂ）に示すように、運転者Ｐが運転室１１内のルームミラー４０を利用して間接的に見ることができる位置に取り付けることもできるし、図２（ａ）に示すように、運転者Ｐの前斜め下に設けて直接見ることができるようにもできる。
【００１４】
以上のようなトラックの後方監視装置は、運転室１１が設けられたトラクタ１２と、このトラクタ１２の後部に連結または分離されるトレーラ１３とからなるトラクタ・トレーラ型のトラック（あるいは運転室１１の後方に箱形の荷台（１３）が設けられたトラック）に設けられる後方監視装置であって、トレーラ１３の後部（したがってトラック後部、以下同じ）に取り付けられ、トレーラ１３の後方を映すテレビカメラ２０と、このテレビカメラ２０に内蔵されまたは当該テレビカメラ２０の近くに設けられ、テレビカメラ２０による映像信号を無線で送信する送信手段２１と、運転室１１内に設けられ、送信手段２１からの映像信号によりトレーラの後方の映像を映し出すモニタ３０と、トレーラの後部において、テレビカメラ２０に内蔵されまたは当該テレビカメラ２０の近くに設けられる、当該テレビカメラ２０および送信手段２１用のバッテリ２２と、トレーラの後部において、バッテリ２２の近くに設けられる、バッテリ２２に充電するための専用の発電機であって、かつトラック１０の走行による風力または振動による発電機２３と、を備えているので、このトラックの後方監視装置によれば、次のような作用効果が得られる。
すなわち、テレビカメラ２０による映像信号は送信手段２１により無線でモニタ３０に向け送信されるので、トレーラ後部に設けるカメラ２０と運転室１１に設けられたモニタ３０との間の配線が不要になる。
また、テレビカメラ２０および送信手段２１用のバッテリ（トラック本体のバッテリとは別のバッテリ）２２が、トレーラ１３の後部において、テレビカメラ２０に内蔵されまたはテレビカメラ２０の近くに設けられており、さらに、このバッテリ２２に充電するための、トラック１０自体の走行による風力または振動による専用の発電機２３が、トレーラの後部において、バッテリ２２の近くに設けられているので、トレーラ後部に設けるカメラ２０とトラック本体（トレーラ）のバッテリ（図示せず）との間の配線も不要となる。
以上のように、このトラックの後方監視装置によれば、トレーラ後部に設けるカメラ２０とモニタ３０との間の配線および、トレーラ後部に設けるカメラ２０とトラック本体のバッテリとの間の配線を不要にすることができる。
すなわち、トレーラ後部に、カメラ２０、送信手段２１、バッテリ２２、および発電機２３を装着するだけで利用できるので、従来必要とされた配線の引き回しが全く不要になる。
しかも、従来技術では必要とされたトレーラとトラクタとの間における配線用のコネクタも不要となるので、そのコネクタ部における防水処理等も不要となる。
さらに、テレビカメラ２０、送信手段２１、バッテリ２２、および発電機２３を１つのユニットＵとして構成した場合には、このユニットＵをトラック後部に装着するとともに、運転室１１にモニタ３０を取り付けるだけで利用することができるようになる。
【００１５】
以上、本発明の実施の形態について説明したが、本発明は上記の実施の形態に限定されるものではなく、本発明の要旨の範囲内において適宜変形実施可能である。
【００１６】
【図面の簡単な説明】
【図１】本発明に係るトラックの後方監視装置の実施の形態を示す図で、（ａ）は平面図、（ｂ）は側面図。
【図２】図１とは多少異なる実施の形態を示す図で、（ａ）は側面図、（ｂ）は背面図。
【符号の説明】
１０    トラック
１１    運転室
１２    トラクタ
１３    荷台（トレーラ）
２０    テレビカメラ
２１    送信機（送信手段）
２２    バッテリ
２３    発電機
３０    モニタ
Ｕ    ユニット
【図１】
2004243959.tif 000003
【図２】
2004243959.tif 000004